(57)【要約】      （修正有）【課題】木軸にクリップを簡単に取り付ける構造を提供する。【解決手段】筆記具１の円筒状木軸２の周方向に合溝５を形成し、この係合溝５にクリップ３に設けられた円弧状の取付アーム４を収めることによりクリップ３を木軸２に取り付ける筆記具のクリップの取付構造であって、上記木軸２の上部に、上記クリップ３の取付アーム４が収まる係合溝５を半周を越えて貫通形成し、木軸２の内部には、金属・合成樹脂・これらと同効質材のパイプ８を嵌合装着し、上記係合溝に収めたクリップ３の取付アームを上記パイプ８の一部周面に係合させることにより、上記取付アーム４で上記パイプ８を抱持した。【選択図】図１
0003156149.tif 000002
【実用新案登録請求の範囲】
【請求項１】
筆記具の円筒状木軸の周方向に係合溝を形成し、この係合溝にクリップに設けられた円弧状の取付アームを係合させることによりクリップを木軸に取り付ける筆記具のクリップの取付構造であって、
上記係合溝を、上記クリップの取付アームが収まるとともに上記木軸の半周を越える長さで貫通形成し、上記木軸の内部には、金属・合成樹脂・これらと同効質材のパイプを嵌合装着し、上記係合溝に収めたクリップの取付アームを上記パイプの一部周面に係合させることにより、上記取付アームで上記パイプを抱持した
ことを特徴とする筆記具のクリップ取付構造。
【考案の詳細な説明】
【技術分野】
【０００１】
本考案は、筆記具の木軸にクリップを簡単確実に取り付けることができるクリップ取付構造に関するものである。
【背景技術】
【０００２】
従来、キャップ本体側面の両側に軸方向の係合部が形成されており、且つクリップの上部には横断面がＵ字状の帯状抱持部が形成され、帯状抱持部の両端には内方へ折曲する係合片が形成されており、該係合片は係合部に弾性的に係合してクリップが装着されているクリップの装着装置は、特許文献１により知られている。
【０００３】
上記クリップの装着装置は、本体の横方向から帯状抱持部を挿入するだけで容易確実にクリップが装着できて、抱持部と係合片によって弾性的且つ密着状に装着されるので離脱したり動揺したりする恐れがないという特徴を有する。このため、キャップ本体が、凹溝の係合部をプレス形成できる金属製や、型成形できる合成樹脂製の場合は、同種商品と変わらない価格で製作して、上記特徴により同種製品を凌駕する販売成績を上げることができた。しかしながら、キャップ本体が木製の場合は、係合部を木軸の周面に沿って刃物を移動させる抉り加工で形成するから、加工費が高く付いて製品の販売価格を同種製品より大幅に増加させて、木軸筆の記具の商品化を阻む現状であった。
【先行技術文献】
【特許文献】
【０００４】
【特許文献１】実開昭５５−１１０２９０号公報
【考案の概要】
【考案が解決しようとする課題】
【０００５】
筆記具が木軸でも、取付部の係合溝を抉り加工によることなく形成して、木軸へクリップが簡単確実に取り付けられた筆記具を、同種製品と大差がない価格で販売できる商品とし得る点である。
【課題を解決するための手段】
【０００６】
本考案の筆記具のクリップ取付構造は、筆記具の円筒状木軸の周方向に係合溝を形成し、この係合溝にクリップに設けられた円弧状の取付アームを係合させることによりクリップを木軸に取り付ける筆記具のクリップの取付構造であって、上記係合溝を、上記クリップの取付アームが収まるとともに上記木軸の半周を越える長さで貫通形成し、上記木軸の内部には、金属・合成樹脂・これらと同効質材のパイプを嵌合装着し、上記係合溝に収めたクリップの取付アームを上記パイプの一部周面に係合させることにより、上記取付アームで上記パイプを抱持したことを特徴とする。
【考案の効果】
【０００７】
本考案の筆記具のクリップ取付構造は、クリップの取付アームが収まる係合溝を円筒状の木軸の半周を越えて貫通形成し、木軸の内部には、金属・合成樹脂・これらと同効質材のパイプを嵌合装着し、木軸の周方向に形成した係合溝に収めたクリップの取付アームを上記パイプの一部周面に係合させることにより、上記取付アームで上記パイプを抱持した構造であるから、木軸に抉り加工で係合溝を形成する場合に比べて、溝形成が著しく簡易化されて製品のコストアップを抑えるため、木軸の筆記具を同種の製品と大差がない価格で製作することが可能となって、しかも、木軸へ横方向からクリップの取付アームを挿入するだけで容易確実にクリップの装着でき、装着は抱持部と係合片によって弾性的且つ密着状に行われるため、クリップが離脱したり位置ずれしたりする恐れもないという特徴を有する。
【図面の簡単な説明】
【０００８】
【図１】本考案のクリップ取付構造で木軸へクリップを取り付けた筆記具を示す斜視図。
【図２】本考案の取付構造に用いた筆記具の木軸とクリップとパイプの形状を示す斜視図。
【図３】（ａ）（ｂ）は、取付アームの木軸に対する取り付け態様を横断面で示す説明図。
【図４】（ａ）（ｂ）は、クリップの取付アームとこれを係合させる木軸の係合溝にそれぞれ先窄まり部を形成して、両付き窄まり部の係合でクリップの取り付け強化を図った例の両先窄まり部の係合前と、係合後を示す説明図。
【考案を実施するための形態】
【０００９】
以下に本考案に係る筆記具のクリップ取付構造の実施例を図面に付いて説明する。
【実施例１】
【００１０】
本考案に係る筆記具のクリップ取付構造は、図１及び図２に示す通り、筆記具（ボールペン・鉛筆・その他）１の円筒状の木軸２に、クリップ３に設けられた取付アーム４の係合溝５を木軸２の半周を越える長さに形成し、この係合溝５に上記クリップ３に設けられた１８０°を越える円弧状の取付アーム４を収める構造を基本とするものであって、木軸２の内部に設けられた孔７には、図２の通り金属・合成樹脂・これらと同効質材で形成したパイプ８を、図１と図３（ａ）（ｂ）に示すように嵌合装着し、さらに、上記パイプ８の一部の周面８ａと上記係合溝５の側壁６ａに、図３（ａ）に示す通り、上記クリップ３に設けられた円弧状の取付アーム４を係合させることにより、上記取付アーム４で上記パイプ８を抱持している。
【００１１】
上記筆記具１の木軸２は、公知の木材で断面が図１、図２、図３等に示す通りの円形か、図面に示してない４角形、六角形、その他の形状に形成するものであって、内部にはボールペンまたは鉛筆の支持部材（図面省略））を収納するための上記孔７を軸方向に設けられる。そして、木軸２の上部には、上記クリップ３が上部に設けられた円弧状の取付アーム４を収める係合溝５が、図２に示すように、木軸２の径方向に形成されている。
【００１２】
上記クリップ３は弾性を有する金属又は合成樹脂からなり、図１に示す通り、上記木軸２との間に背広やシャツのポケットなどに挟み付けられるように形成され、下端には凸隆部９が形成され、上部には上記木軸２に形成された係合溝５と同様に円弧状をなす取付アーム４が設けられたものであり、この取付アーム４は上記係合溝５からの離脱を防止するため、両先端部の内側には、図２に示すように、爪１０、１０が形成されている。
【００１３】
上記パイプ８は、硬くて強い金属か、合成樹脂あるいはこれらと同効質材で形成された筒状の長材を必要な寸法に切断したものであって、上記木軸２の孔７に嵌合して固定される。
【００１４】
次に、上記木軸２へ上記クリップ３を取り付けるには、例えば木軸２の上部へクリップ３に設けられた円弧状の取付アーム４と同じ厚さの回転カッター（図面省略）を切り込ませ、図２に示すように、木軸２の内部に形成された孔７に接着剤を付着させたパイプ８を、上方から嵌合すればよい。接着剤が乾燥すれば、パイプ８の周面８ａが係合溝５の溝底を形成する。この係合溝５に図３（ａ）（ｂ）に示す通りクリップ３に設けられた取付アーム４を嵌め付ければ、上記取付アーム４は弾性変形してパイプ８の周面８ａまで嵌り込んで、両先端に形成された爪１０、１０がパイプ８の周面に係合し、取付アーム４で上記パイプ８を強力に抱持するから、クリップ３は離脱や弛みを生じないように木軸２に確実に取り付けられる。
【００１５】
上述のように、木軸２に係合溝５を形成し、木軸２に設けられた孔７にパイプ8を嵌合装着し、クリップ３の取付アーム４が係合する係合溝５を木軸２の外周の半分を越えた長さにし、この部分が折れ易くなる場合でも、孔７にはパイプ８が嵌合装着されて木軸２を補強する。
【００１６】
なお、取付アーム４の先端には必ずしも爪１０、１０を形成しなくてもよい。この場合でも、図４（ａ）（ｂ）に示されるように、取付アーム４の両先端の先窄まり部１３、１３が係合溝５の先窄まり部１２、１２のパイプ８の外周面８ａに係合して強力に抱持することができる。
【産業上の利用可能性】
【００１７】
筆記具が木軸でも、クリップの取付アームを係合させる係合溝を抉り加工によらずに形成して、クリップが木軸へ確実に取り付けられた筆記具を同種製品と大差がない価格で製作することが可能となる。
【符号の説明】
【００１８】
１    筆記具
２    木軸
３    クリップ
４    取付アーム
５  係合溝
６ａ  係合溝の側壁
７  孔
８  パイプ
８ａ  パイプの周面
【図１】
0003156149.tif 000003
【図２】
0003156149.tif 000004
【図３】
0003156149.tif 000005
【図４】
0003156149.tif 000006